(57)【特許請求の範囲】
【請求項１】
光コネクタを組み立てる組立治具において、前記光コネクタは、光ファイバを保持したフェルールを保持し弾性を有する一対の梁部を備え、
前記組立冶具は、本体部と、前記本体部に移動自在に保持され前記光コネクタを収容する光コネクタ収容部と、前記本体部に移動自在に保持され前記フェルールを収容するフェルール収容部と、前記一対の梁部と当接し前記一対の梁部を外方へ広げるテーパ部とを有し、
前記光コネクタを前記光コネクタ収容部に収容保持し、前記光コネクタ収容部を移動させて前記テーパ部により前記一対の梁部を外方へ広げ、前記フェルールを前記フェルール収容部に収容保持し、前記フェルール収容部を前記光コネクタ収容部に向けて移動させることにより、光コネクタを組み立てることを特徴とする光コネクタ組立治具。
【発明の詳細な説明】
【技術分野】
【０００１】
本発明は、光ファイバを有するフェルールを収容保持する光コネクタの組立治具に関し、詳しくは、組立を安易に行える組立冶具に関する。
【背景技術】
【０００２】
従来の光コネクタにおける着脱治具は、特許文献１及び特許文献２に記載されている。
【０００３】
図１０（ａ）は、特許文献１の光コネクタ１０５のフェルール抜き出し状態を示す図で、図１０（ｂ）は、図１０（ａ）の光コネクタ１０５の一部破断側面図である。
【０００４】
図１０（ａ）及び図１０（ｂ）を参照すると、光コネクタ１０５は、ハウジング１１０と、このハウジング１１０へ装着されるフェルール１２０とからなる。
【０００５】
ハウジング１１０は、相手光コネクタとの接続側に、１対の係止片１１１を備えている。各係止片１１１は、相手光コネクタとの接続側に係止部１１２を有している。この係止部１１２は、係止片１１１が互いに閉じた位置において、フェルール１２０のフランジ部１２３を係止することにより、図１０（ｂ）に示すように、フェルール１２０の装着状態を保持させる作用をする。また、係止片１１１は、フェルール１２０の装着状態を解除しうる解除位置へと前述の閉じた位置から弾性的に開き得るようなものとされている。
【０００６】
フェルール１２０は、光コネクタ１０５の光ファイバの接続側に位置する接続側部１２１と、光コネクタ１０５の接続側とは反対側の相手光コネクタとの嵌合側に位置する嵌合側部１２２と、接続側部１２１及び嵌合側部１２２の間に配置されたフランジ部１２３とを有している。このフェルール１２０には、光ファイバ１０６が接続される。
【０００７】
図１０（ａ）にて示されるように、フェルール着脱工具１２５は、プラスチック材料にて一体成形されたものであり、全体として断面コの字状に形成されている。このフェルール着脱工具１２５の右端の基部側には、操作者が指で把持するための把持部と、先端側に把持部に連接してフェルール１２０の接続側部を挟持しうる１対の弾性挟持片１２６とを備えている。この弾性挟持片１２６の厚みは、この弾性挟持片１２６が１対の係止片１１１の対向している間へと挿入されフェルール１２０の接続側部１２１を挟持した状態において、係止片１１１を解除位置へと開かせうるようなものとされている。また、弾性挟持片１２６には、フェルール１２０の接続側部１２１を挟持した状態において弾性挟持片１２６が１対の係止片１１１の対向していない間へと挿入されたときに、係止片１１１を解除位置へと開かせないようにする切欠き部が形成されている。
【０００８】
フェルール着脱工具１２５においては、切欠き部が両側脚部の先端部のみの両側に形成され、底部は、切欠き部に相当する部分が切り欠かれている。
【０００９】
次に、このような構成のフェルール着脱工具１２５を用いて、光コネクタ１０５のフェルール１２０を着脱する操作について説明する。
【００１０】
先ず、図１０（ｂ）に示されるようにハウジング１１０内に装着されたフェルール１２０を抜き外すには、操作者は、フェルール着脱工具１２５を、光コネクタ１０５に対して、１対の弾性挟持片１２６が光コネクタ１０５の１対の係止片１１１の対向している間へと挿入されうる向きにして、把持部を把持する。操作者は、このようにフェルール着脱工具１２５を把持した状態で、１対の弾性挟持片１２６がフェルール１２０の接続側部１２１を挟持し且つ光コネクタ１０５の１対の係止片１１１の対向している間へ、弾性挟持片１２６の先端面がフェルール１２０のフランジ部１２３の当接面に突き当たるまでと押し込む。この押し込み状態において、フェルール１２０の接続側部１２１が弾性挟持片１２６の間に完全に挟持された状態となると同時に、１対の係止片１１１は、フェルール１２０のフランジ部１２３に対する係止部１１２による係止が解除された解除位置まで外側へ押し広げられた状態となるから、操作者がそのフェルール着脱工具１２６を後退させることにより、図１０（ａ）に示すように、フェルール１２０を光コネクタ１０５のハウジング１１０から抜き出すことができる。
【００１１】
次に、このようにして抜き出したフェルール１２０を再び光コネクタ１００のハウジング１１０に対して装着する場合には、操作者は、１対の弾性挟持片１２６の間にフェルール１２０が挟持されたままの状態で、１対の弾性挟持片１２６が光コネクタ１０５の１対の係止片１１１の対向していない間へと挿入されうる向きとなるように、フェルール着脱工具１２５を９０度回転させるようにして、把持部を持ち替え、フェルール１２０の嵌合側部１２２が１対の係止片１１１の間へ挿入され、フェルール１２０のフランジ部１２３によって１対の係止片１１１の係止部１１２を押し広げるようにして、光コネクタ１００のハウジング１１０内へと押し込んでいき、フェルール１２０のフランジ部１２３が係止片１１１の係止部１１２を乗り越えたところで、フェルール着脱工具１２５を後退させて引き抜くようにすればよい。この時、フェルール着脱工具１２５の１対の弾性挟持片１２６の先端両側には、切欠き部が設けられているので、１対の係止片１１１は閉じた位置のままである。したがって、フェルール１２０のフランジ部１２３が係止片１１１の係止部１１２によって係止されるので、フェルール１２０は、ハウジング１１０内の装着位置に残されて、フェルール着脱工具１２５の弾性挟持片１２６に挟持されたままの状態で、抜き出されてしまうようなことはない。
【００１２】
図１１（ａ）は特許文献２による光コネクタおよび分解治具の斜視図、図１１（ｂ）はストッパー４がコイルスプリング５の反力（拡張力）によって外郭部材２から押し出された状態を示す図である。
【００１３】
図１１（ａ）及び図１１（ｂ）に示すように、分解治具１５１は、本体１５２と、本体１５２の両側にそれぞれ２本のねじ１５３によって固定された解除部１５４とから構成される。各解除部１５４の先端には、テーパ部１５４ａと凹部（溝）１５４ｂとが設けられる。
【００１４】
光コネクタ１４１は、外郭部材（プラグフレーム）１４２と、外郭部材１４２に収容される内部部材（図示せず）と、外郭部材１４２に取り付けられるストッパー１４４と、内部部材とストッパー１４４の間に介在するコイルスプリングとから構成される。
【００１５】
内部部材には、光ファイバ１５０が接続され、コイルスプリングは、内部部材を相手側光コネクタとの嵌合方向に常時押圧する。
【００１６】
外郭部材１４２の一端側の両側部には、スリット（挿入部）１４２ａが設けられ、また、外郭部材１４２の一端側の上下両面には、それぞれ２つの窓（係合部）１４２ｂが設けられる。ストッパー１４４の形状は、上面から見ると台形、側面から見ると長方形である。ストッパー１４４の上下両面の先端付近の両側には、突出形状のロック部１４４ａが設けられる。外郭部材２は合成樹脂から製造されて弾性変形可能であるので、各ロック部１４４ａは各係合部１４２ｂに対して係合・解除することができる。
【００１７】
次に、特許文献２による光コネクタ１４１を分解治具１５１によって分解する操作について説明する。
【００１８】
まず、分解治具１５１の各テーパ部１５４ａを外郭部材１５２の各スリット１４２ａに挿入すると、各スリット１４２ａは開き、ストッパー１４４は分解治具１５１の収容部１５１ａ内に収容される。
【００１９】
各スリット１４２ａが開くと、外郭部材１４２の上面側の各係合部１４２ｂは上方に移動し、下面側の各係合部１４２ｂは下方に移動するので、ストッパー１４４の各ロック部１４４ａは各係合部１４２ｂから解除される。したがって、ストッパー１４４は、圧縮されているコイルスプリングの反力によって外郭部材１５２から離脱し、分解治具１５１の収容部１５１ａの奥に進入する。
【００２０】
次に、光ファイバ１５０と分解治具１５１とストッパー１４４を手指によって引くと、内部部材は外郭部材１４２から引き抜かれる。
【００２１】
【特許文献１】特許第３３５４５０３号公報
【特許文献２】特開２００５−２９２６４３号公報
【発明の開示】
【発明が解決しようとする課題】
【００２２】
特許文献１に記載されている光コネクタのためのフェルール着脱治具は、図１０に示すような平面の接続側部１２１を有するフェルールにしか適用てきない構造になっている。
【００２３】
現在主に単芯用光コネクタに使用されている多くのフェルールは平面の接続側部１２１は存在せず、円筒形のフランジ部を有している。
【００２４】
つまり、特許文献１に記載された光コネクタのためのフェルール着脱治具では、円筒形のフランジ部を有しているフェルールを用いた光コネクタではフェルールが回転し、一定の方向に保持することが困難な状態になってしまう。
【００２５】
また、特許文献１に記載されている光コネクタの着脱のためのフェルール着脱治具はプラスチック材料にて一体成形されているとあるが、プラスチック材料にて成形するために金属製の治具と比較して強度が低下し、該当治具の使用頻度が高い状況下では破損の可能性が高くなってしまう。
【００２６】
また、特許文献２に記載されている光コネクタの分解治具は、光コネクタの分解にのみしか用いることが出来ない。また、内部にコイルスプリングを有していない光コネクタの場合、コイルスプリングの反発力を用いることが不可能であるために分解が困難である。
【００２７】
以上述べたように、従来技術における光コネクタの組立及び分解治具は、ある特定のフェルールを用いた場合でしか用いることが出来ないことや分解時にしか用いることが出来ないこと、内部構造が変化した光コネクタの場合用いることが出来ない等の問題がある。
【００２８】
そこで、本発明の技術的課題は、前記従来の光コネクタにおけるフェルールの着脱治具の欠点を改良し、光コネクタの安易な組立および分解を行う組立冶具を提供することにある。
【課題を解決するための手段】
【００２９】
本発明によれば、光コネクタを組み立てる組立治具において、前記光コネクタは、光ファイバを保持したフェルールを保持し弾性を有する一対の梁部を備え、前記組立冶具は、本体部と、前記本体部に移動自在に保持され前記光コネクタを収容する光コネクタ収容部と、前記本体部に移動自在に保持され前記フェルールを収容するフェルール収容部と、前記一対の梁部と当接し前記一対の梁部を外方へ広げるテーパ部とを有し、前記光コネクタを前記光コネクタ収容部に収容保持し、前記光コネクタ収容部を移動させて前記テーパ部により前記一対の梁部を外方へ広げ、前記フェルールを前記フェルール収容部に収容保持し、前記フェルール収容部を前記光コネクタ収容部に向けて移動させることにより、光コネクタを組み立てることを特徴とする光コネクタ組立治具が得られる。
【発明の効果】
【００３０】
本発明によれば、光コネクタにおけるフェルールの着脱治具の欠点を改良し、光コネクタの安易な組立および分解を行うことができる組立冶具を提供することができる。
【発明を実施するための最良の形態】
【００３１】
以下、本発明の実施の形態について図面を参照しながら説明する。
【００３２】
図１は、本発明の実施例に係る光コネクタを示している。なお、図１では、光コネクタをハウジングによって保持した光コネクタ装置を、アダプタに接続した状態を示している。図２は図１のコネクタのフェルールを示す斜視図である。図３（ａ）および（ｂ）は、光コネクタ５０を斜め正面および斜め背面からそれぞれ眺めた斜視図で当接部５２は図示していない。図４は、図１に示した光コネクタ装置のハウジング８０の一部の断面を示している。図５は、図１に示したハウジング８０を１８０度回転した状態を示す斜視図である。  図１を参照して、光コネクタ装置は、光コネクタ部５と、光コネクタ部５を装着可能に保持するハウジング８０とを有する。光コネクタ装置は、アダプタ９０と接続することによって、アダプタ９０を介して相手側光コネクタ（図示せず）と接続される。
【００３３】
光コネクタ部５は、フェルール６０と、フェルール６０を保持するため保持部材としての光コネクタ５０とを有する。このフェルール６０を有する光コネクタ５０を光コネクタ部５と呼ぶ。
【００３４】
図２を参照すると、フェルール６０は、円筒状のフェルール本体６１と、フェルール本体６１の光軸Ｘ（図４参照）方向の中間部分に設けられているフランジ部６２を有する。実施例1におけるフェルール６０は、ＰＣ（Ｐｈｙｓｉｃａｌ  Ｃｏｎｔａｃｔ）研磨された単芯フェルールであるが、ＡＰＣ（Ａｎｇｌｅｄ  Ｐｈｙｓｉｃａｌ  Ｃｏｎｔａｃｔ）研磨された単芯フェルールにも適用できる。
【００３５】
フランジ部６２は、フェルール本体６５の外周面上で光軸Ｘと直交する方向へ延びている。フランジ部６２には、光軸Ｘ周りの円周部６３の複数個所を切り欠くことによって複数の被位置決め部（切欠き部）６４が光軸Ｘ周りの円周部６３に形成されている。したがって、フランジ部６２の円周部６３は、周方向に複数の円弧面が断続して形成されている形状となっている。
【００３６】
フェルール本体６１内には、光軸Ｘ方向の一端側から光ケーブル７０の一端部が挿入されることにより光ケーブル７０の一端部を保持している。光ケーブル７０は、光ファイバ７１を樹脂材によって被覆したものである。さらに、フェルール本体６１の他端面には、フェルール本体６１に挿入された光ファイバ７１の先端面が露出するように位置している。光ファイバ７１の先端面は、図示しない相手側光コネクタの相手側光ファイバの先端面と突き合わされて接続される部分である。
【００３７】
図３を参照すると、光コネクタ５０は、１枚の薄い弾性部材で構成されている。
【００３８】
具体的には、長板状の第１及び第２の梁部５７，５８と、第１及び第２の梁部５７，５８の光軸Ｘ方向と直交する方向の一端辺を相互に接続している略四角板形状の基部５６とを有する。一対の対向した第１の梁部５７は弾性を有し、２つの対向する第１の梁部５７の先端は幅が狭い首部５４が設けられている。また、もう一対の第２の梁部５８は弾性を有し、２つの対向する第１の梁部５８の先端は幅が狭い首部５４と首部５４の先端には、幅が広くなるように両側に突出した結合部５５が設けられている。
【００３９】
一対の第２の梁部５８には、切り込み及び内側に折り曲げることによって弾性片５３が夫々形成されている。また、第１の梁部５７には、凸部５１が形成されている。
【００４０】
光コネクタ５０は、第１及び第２の梁部５７，５８と、基部５６によって囲まれている部分がフェルール６０を収容する収容部となる。
【００４１】
光コネクタ５０は、１枚の薄い板材のみによって構成され、板材として金属板を採用した場合には、プレスにより板材を所定の展開形状に打ち抜いた後に、曲げ加工を施すことによって保持部材の機能を有する。
【００４２】
なお、実施例１においては、第１の梁部５７のそれぞれが弾性を有するものであるが、これら第１の梁部５７のうちの少なくとも一方が弾性を有するものであってもよい。
【００４３】
一対の第２の梁部５８には、片持ちバネ状に基部５６側の一端が接続され、かつ第２の梁部５８の内側へ自由端部が延びている位置決めするための弾性片５３が夫々形成されている。
【００４４】
弾性片５３は弾性を有し、フェルール６０のフランジ部６２に形成されている切欠き部６４と係合し当接することで、フェルール６０の光軸Ｘと交差する方向へ倒れ込みや回転を防止する役目を果たす。なお、一対の弾性片５３の内の一方が弾性を有するものであってもよい。
【００４５】
さらに、第１の梁部５７の首部５４の基部側には、夫々第1の梁部５７の板面と直交する方向へ曲げられて延びて、さらに梁部５７の板面に対向するように曲げられている当接部５２（図４参照）が夫々形成されている。
【００４６】
当接部５２は、フェルール６０のフランジ部６２の切欠き部６４と光コネクタ５０の弾性片５３との夫々の係合を解除する役目を果たす。
【００４７】
ハウジング８０から光コネクタ５０を引き抜く際に、第１梁部５７の凸部５１を押すと、第１の梁部５７が内側に向かって撓み、当接部５２は、フェルール６０のフランジ部６２の円周部６３に当接し、光軸Ｘと交差する方向に突出して、弾性片５３を有する第２の梁部５８を外側方向へ押し広げる役目を果たす。なお、弾性片５３は、一対の第２の梁部５８のうちの一方のみに形成されているものであってもよい。また、当接部５２は、これらを操作した際に、フランジ部６２の円周部６３に当接するようにしても良い。
【００４８】
また、結合部５５を夫々有する第２の梁部５８から結合部５５までの首部５４の長さは、一方が他方よりも短い寸法に形成されている。
【００４９】
光コネクタ５０の基部５６には、光ケーブル７０を挿入したフェルール本体６１の一端部を貫通させて保持する貫通孔が形成され、また、基部５６には、貫通孔から基部５６の一辺を切り欠くことによって切欠き部５９が形成されている。
【００５０】
図４及び図５をも参照して、ハウジング８０は、略四角板形状のハウジング本体８３と、ハウジング本体８３の一面８３ａから突出している略四角板形状の嵌合部８４とを有する。
【００５１】
嵌合部８４は、図４及び図５によってもっともよく分かるように、第１側面８５ａと、第１側面８５ａに対向している第２側面８５ｂと、第１及び第２側面８５ａ，８５ｂのそれぞれと隣接する第３側面８６ａ及び第４側面８６ｂと、ハウジング本体８３の一面８３ａに平行な嵌合面８７とを有する。
【００５２】
第１側面８５ａには、この第１側面８５ａよりも低い面とする第１溝部８５ｃが形成されている。第１溝部８５ｃは、光コネクタ５０の梁部５７の自由端側で
ある首部５４の先端が入り込み第１梁部５７に対応する形状となっている。第２側面８５ｂには、この第２側面８５ｂよりも低い面とする第２溝部８５ｄが形成されている。第２溝部８５ｄは、光コネクタ５０の梁部５７の自由端側が入り込み首部５４の先端と対応する形状となっている。
【００５３】
第３側面８６ａには、この第３側面８６ａよりも低い面をもつ第３溝部８６ｃが形成されている。第３溝部８６ｃは、光コネクタ５０の第２の梁部５８の自由端側が入り込みロックされるロック部となり、結合部５５と対応する形状となっている。
【００５４】
第４側面８６ｂには、この第４側面８６ｂよりも低い面をもつ第４溝部８６ｄが形成されている。第４溝部８６ｄは、第３溝部８６ｃとは形状が異なっており、光コネクタ５０のもう一つの第２の梁部５８の自由端側である首部５４先端が入り込みロックされるロック部となり、かつもう一つの結合部５５と対応する形状となっている。
【００５５】
嵌合部８４には、嵌合部８４の嵌合面８７の中央部分からフェルール６０のフェルール本体６１を挿通するように、嵌合面８７からハウジング本体８３へ挿通孔８７ａが形成されている。ハウジング本体８３には、挿通孔８７ａに挿通されるフェルール本体６１の先端部分を挿通するハウジング孔（図示せず）が形成されている。
【００５６】
アダプタ９０は、図１に示したように、ハウジング８０の一面８３ａとは反対となる面に当接されるアダプタハウジング９３を有する。アダプタハウジング９３の一対の側面には、レバー部材９５がレバー軸部９６に回動可能に取り付けられている。レバー部材９５には、ハウジング８３の一対の側面に設けられている軸部８９に係合するレバー切欠き部９７が形成されている。
【００５７】
ハウジング８３には、レバー部材９５を所定方向（図１では時計方向）へ回転させることで、アダプタ９０がハウジング８０と一体に取り付けられる。
【００５８】
以下、光コネクタ部５及び光コネクタ装置との組み立てについて説明する。
【００５９】
フェルール６０を光コネクタ５０に組み込む際には、図４に示すように、一対の第２の梁部５８を光軸Ｘと交差する離れる向きに開く。そして、光コネクタ５０の内側を収容部とした弾性片５３との間にフェルール６０を収容する。このとき、フェルール６０の回転を拘束するために弾性片５３の先端部を、フェルール６０のフランジ部６２の切欠き部６４に合わせる。
【００６０】
光コネクタ５とハウジング８０とを嵌合させる際は、第１の梁部５７に設けてある凸部５１を梁部側へ押すことにより、当接部５２がフェルール６０のフランジ部６２の円周部分に沿って第２の梁部５８を光軸Ｘと交差する離れる向きへ開く。第２の梁部５８が光軸Ｘと交差する離れる向きへ開いた後、第２の梁部５８の自由端部のそれぞれに形成されている結合部５５がハウジング８０の嵌合部８４の第３及び第４側面８６ａ，８６ｂに沿ってスムーズに移動し嵌合できる。
【００６１】
また、ハウジング８０から光コネクタ部５を引き抜く際には、当接部５２を有する第１の梁部５７に設けてある凸部５１を押すことにより、当接部５２がフェルール６０のフランジ部６２の外周に沿って、弾性片５３のある第２の梁部５８を光軸Ｘから離れる向きへ開く。このとき、ハウジング８０の嵌合部８４にロックされている結合部５５が外れるので、光コネクタ部５をハウジング８０からスムーズに引き抜くことができる。
【００６２】
図１乃至５に示した本発明の光コネクタは、特願２００６−３３４６９４号に示すものと同様の構成を有している。本発明の実施例の組立治具は、この光コネクタを分解、組み立てに用いる。
【００６３】
以下に、本発明の実施例に係る組立治具について説明する。
【００６４】
図６は本発明の実施例１による組み立て冶具を示す斜視図である。図６を参照すると、組立治具１００は、箱型の本体部４０と、本体部４０に移動自在に保持され光コネクタ部５、光コネクタ５０を収容する光コネクタ収容部である光コネクタ受けスライド１０と、本体部４０に移動自在に保持されフェルール６０を収容するフェルール収容部をなすフェルール受けスライド３０と、テーパ部２０とを備えている。この組立治具１００は、光ファイバ７１を有する光ケーブル７０のフェルール６０を光コネクタ５０へ組み立てまたは分解に用いる。
【００６５】
光コネクタ受けスライド１０は、光コネクタ部５、光コネクタ５０を組み込む際に光コネクタ部５、光コネクタ５０を保持する光コネクタ受け凹部１と、フェルールの回転を防止するための突起部２とを備えている。
【００６６】
テーパ部２０は、一対の第２の梁部５８と当接し、この一対の第２の梁部５８を外方へ広げる機能を有する。また、テーパ部２０は、長さ方向に設けられたガイド溝１１を有し、前記ガイド溝１１によって光コネクタ部５、光コネクタ５０が治具から外れることを防止する。また、フェルール受けスライド３０は、フェルール６０の切欠き部６４と係合しフェルール６０の回転を防止するフェルール押さえ部２１を有している。
【００６７】
図７（ａ），（ｂ）及び（ｃ）及び図８（ａ），（ｂ）及び（ｃ）は図６の組立治具の使用例を示す斜視図である。
【００６８】
図７（ａ）を参照すると、光コネクタ５０を光コネクタ受け凹部１にセットする。
【００６９】
図７（ｂ）を参照すると、光コネクタ受けスライド１０をテーパ部２０方向へスライドし、光コネクタ５０の第２の梁５８をテーパ部２０により広げる。
【００７０】
図７（ｃ）を参照すると、光ファイバ付きフェルール６０の光ファイバ７０を光コネクタ５０に通す。
【００７１】
図８（ａ）を参照すると、光ファイバ付きフェルール６０をフェルール受けスライド３０にセットする。
【００７２】
図８（ｂ）に示すように、光ファイバ付きフェルール６０をフェルール受けスライド３０とともに、矢印に示すようにスライドする。
【００７３】
図８（ｃ）を参照すると、組立治具１００から光コネクタを取り外し、光コネクタ部５の完成となる。
【００７４】
図９は本発明の実施例２による組立治具の斜視図である。図９を参照すると、本発明の実施例２による治具の実施例１との相違点は、フェルール押さえ部２１の部分がガタツキ遊ばないように、かつ、光コネクタ受けスライド１０がある側とは反対側に向けてフェルール受けスライド３０を付勢するように、スプリング４等の弾性部材を内部に組み込んだ点である。
【００７５】
ローレット３は、フェルール受けスライド３０をスプリング４の付勢力に反して光コネクタ受けスライド１０側に向けて、フェルール受けスライド３０をスライド操作し易いようにするものである。
【００７６】
以上説明したように、本発明によれば、スライド機構を用いることによって、光ファイバを保持するフェルールを有する特願２００６−３３４６９４号に記載されているような、１枚の薄い弾性部材のみによって構成される光コネクタを組み立てる際において、ＰＣ（Ｐｈｙｓｉｃａｌ  Ｃｏｎｔａｃｔ）研磨された単芯フェルール及びＡＰＣ（Ａｎｇｌｅｄ  Ｐｈｙｓｉｃａｌ  Ｃｏｎｔａｃｔ）研磨された単芯フェルールに適用出来、部品点数を抑えることでコストを低減させ、組立・分解の両方に適用出来、コネクタの外郭部品点数が１点であるために内部構造の変化を危惧せずに光コネクタを組み立てられることが出来る。
【００７７】
また、万が一テーパ部が破損しても交換可能になっており、メンテナンス性も確保している。
【００７８】
また、本発明によれば、光コネクタ受けスライド１０、フェルール受けスライド３０等のスライド機構を用いることにより特願２００６−３３４６９４号に記載される金属板１枚で形成される光コネクタを、場所を選ばずに簡単に組立・分解することが可能である。
【産業上の利用可能性】
【００７９】
以上の説明の通り、本発明のコネクタ組立治具によれば、光通信等に用いる光コネクタの組み立て分解に適用される。
【図面の簡単な説明】
【００８０】
【図１】本発明の実施例に係る光コネクタを示す斜視図である。
【図２】図１のコネクタのフェルールを示す斜視図である。
【図３】（ａ）および（ｂ）は、光コネクタ５０を斜め正面および斜め背面からそれぞれ眺めた斜視図である。
【図４】図１に示した光コネクタ装置のハウジング８０の一部の断面を示している。
【図５】図１に示したハウジング８０を１８０度回転した状態を示す斜視図である。
【図６】本発明の実施の形態による組立冶具を示す斜視図である。
【図７】（ａ），（ｂ）及び（ｃ）は図６の組立治具の使用例を示す斜視図である。
【図８】（ａ），（ｂ）及び（ｃ）は図６の組立治具の使用例を示す斜視図である。
【図９】本発明の実施例２による組立治具の斜視図である。
【図１０】（ａ）は、特許文献１の光コネクタ１０５のフェルール抜き出し状態を示す図である。（ｂ）は、特許文献１の光コネクタ１０５の一部破断側面図である。
【図１１】（ａ）は特許文献２による全体の斜視図である。（ｂ）はストッパー４がコイルスプリング５の反力（拡張力）によって外郭部材２から押し出された状態を示す図である。
【符号の説明】
【００８１】
１    光コネクタ受け凹部
２    突起部
５    光コネクタ部
１０    光コネクタ受けスライド（光コネクタ収容部）
１１    ガイド溝
２０    テーパ部（当接部）
２１    フェルール押さえ部
３０    フェルール受けスライド（フェルール収容部）
４０    本体部
５０    光コネクタ（保持部材）
５１    凸部
５２    当接部
５３    弾性片
５４    首部
５５    結合部
５６    基部
５７    第１の梁部
５８    第２の梁部
５９    切欠き部
６０    フェルール
６１    フェルール本体
６２    フランジ部
６３    円周部
６４    被位置決め部（切欠き部）
７０    光ケーブル
７１    光ファイバ
８０    ハウジング
８３    ハウジング本体
８３ａ    一面
８４    嵌合部
８５ａ    第１側面
８５ｂ    第２側面
８５ｃ    第１溝部
８５ｄ    第２溝部
８６ａ    第３側面
８６ｂ    第４側面
８６ｃ    第３溝部
８６ｄ    第４溝部
８７    嵌合面
８７ａ    挿通孔
９０    アダプタ
１００    組立治具
【図１】
0004412739.tif 000002
【図２】
0004412739.tif 000003
【図３】
0004412739.tif 000004
【図４】
0004412739.tif 000005
【図５】
0004412739.tif 000006
【図６】
0004412739.tif 000007
【図７】
0004412739.tif 000008
【図８】
0004412739.tif 000009
【図９】
0004412739.tif 000010
【図１０】
0004412739.tif 000011
【図１１】
0004412739.tif 000012